(57)【要約】  ビジネス文書に紐付けられた情報を容易に把握すること。  携帯端末装置２ａは、記憶部２３と、利用者による画面遷移動作を検出する検出部２１と、記憶部２３を参照し、請求書データに関する内容を項目毎に分類した複数の項目名を並列表示する第１画面と、請求書データが備えるデータのうち各項目に対応するデータを表示する第２画面とを表示し、検出部２１による画面遷移動作の検出に応じて隣接する項目名に対応するデータを第２画面に表示する制御部２２と、を有している。
2017164240.tif 000002
【特許請求の範囲】
【請求項１】
記憶部と、
利用者による画面遷移動作を検出する検出部と、
前記記憶部を参照し、ビジネス文書データに関する内容を項目毎に分類した複数の項目名を表示する第１画面と、前記ビジネス文書データが備えるデータのうち前記各項目に対応するデータを表示する第２画面とを表示し、前記検出部による画面遷移動作の検出に応じて前記項目名に対応するデータを前記第２画面に表示する表示部と、
を有することを特徴とする端末装置。
【請求項２】
前記表示部は、現在表示されている第２画面のデータに対応する項目名の識別情報を前記第１画面に表示する請求項１に記載の端末装置。
【請求項３】
前記表示部は、ビジネス文書データ固有の識別情報を表示する第３画面を表示し、
前記検出部が利用者による前記第２画面の選択動作を検出すると、前記表示部は、第３画面を表示したまま検出前に前記第２画面に表示されていたデータのより詳細なデータを表示する請求項１または２に記載の端末装置。
【請求項４】
コンピュータが、
利用者による画面遷移動作を検出し、
記憶部を参照し、ビジネス文書データに関する内容を項目毎に分類した複数の項目名を表示する第１画面と、前記ビジネス文書データが備えるデータのうち前記各項目に対応するデータを表示する第２画面とを表示し、画面遷移動作の検出に応じて前記項目名に対応するデータを前記第２画面に表示する、
ことを特徴とする表示方法。
【請求項５】
コンピュータに、
利用者による画面遷移動作を検出し、
記憶部を参照し、ビジネス文書データに関する内容を項目毎に分類した複数の項目名を表示する第１画面と、前記ビジネス文書データが備えるデータのうち前記各項目に対応するデータを表示する第２画面とを表示し、画面遷移動作の検出に応じて前記項目名に対応するデータを前記第２画面に表示する、
処理を実行させることを特徴とするプログラム。
【発明の詳細な説明】
【技術分野】
【０００１】
本発明は端末装置、表示方法およびプログラムに関する。
【背景技術】
【０００２】
会社全体または企業グループ全体のビジネス文書（例えば、請求書等）の閲覧とその情報の一元管理を可能とする技術が知られている。【０００３】
例えば、ユーザを特定するユーザ特定情報と少なくとも１つの固有の情報とをユーザ毎に関連づけたユーザ情報を記憶する第１の記憶部と、第１の記憶部に記憶される固有の情報とユーザ特定情報とを用いて所定の規則に基づきユーザ毎にコードを生成する生成部と、第１の記憶部に記憶されているユーザ情報が備える第１のユーザのユーザ特定情報を含むビジネス文書情報を記憶する第２の記憶部と、第１の記憶部にユーザ情報が記憶されている第２のユーザからのビジネス文書情報へのアクセス要求を受け付けると、第１のユーザの第１のコードと、第２のユーザの第２のコードが一致するか否かを判断し、第１のコードと第２のコードとが一致する場合、第２の記憶部に記憶されている第１のユーザが作成したビジネス文書情報へのアクセス権限を前記第２のユーザに付与する処理部と、を備える情報処理装置が知られている。
【先行技術文献】
【特許文献】
【０００４】
【特許文献１】国際公開第２０１５／０４９９４８号
【発明の概要】
【発明が解決しようとする課題】
【０００５】
１つの請求書に関する情報をタブレットやスマートフォン等の携帯端末装置で閲覧する場合を考える。【０００６】
例えばブラウザ等を用いて複数のタブを作成したり、複数のウインドウを開いたりして閲覧する場合、自分が今何の情報を閲覧しているのか、元の情報を閲覧するために、どのタブを参照すればよいのかを把握することが困難である。また、見たい情報を容易に探すことが困難であるという問題がある。
１つの側面では、本発明は、ビジネス文書に紐付けられた情報を容易に把握することを目的とする。
【課題を解決するための手段】
【０００７】
上記目的を達成するために、開示の端末装置が提供される。この端末装置は、記憶部と、利用者による画面遷移動作を検出する検出部と、記憶部を参照し、ビジネス文書データに関する内容を項目毎に分類した複数の項目名を表示する第１画面と、ビジネス文書データが備えるデータのうち各項目に対応するデータを表示する第２画面とを表示し、検出部による画面遷移動作の検出に応じて項目名に対応するデータを第２画面に表示する表示部と、を有している。
【発明の効果】
【０００８】
１態様では、ビジネス文書に紐付けられた情報を容易に把握することができる。
【図面の簡単な説明】
【０００９】
【図１】第１の実施の形態の請求書管理システムを示す図である。
【図２】ログイン後の端末装置に表示される画面の一例を説明する図である。
【図３】実施の形態の請求書管理装置のハードウェア構成を示す図である。
【図４】実施の形態の請求書管理装置の機能を示すブロック図である。
【図５】請求書データの一例を説明する図である。
【図６】概要表示部に表示される情報を説明する図である。
【図７】概要表示部に表示される情報を説明する図である。
【図８】返送戻りの請求書データの処理を説明する図である。
【図９】社外連絡データの一例を説明する図である。
【図１０】添付ファイルデータの一例を説明する図である。
【図１１】履歴データ記憶部に記憶されるデータの一例を説明する図である。
【図１２】履歴データ記憶部に記憶されるデータの一例を説明する図である。
【図１３】履歴表示モード時に情報表示部に表示されるデータの一例を示す図である。
【図１４】メモデータの一例を説明する図である。
【図１５】社外連絡一覧の一例を示す図である。
【図１６】社外連絡一覧の一例を示す図である。
【図１７】請求書データを見つけるときのデータ処理部の処理を説明するフローチャートである。
【図１８】第２の実施の形態の携帯端末装置のハードウェア構成を説明する図である。
【図１９】第２の実施の形態の携帯端末装置の機能を示すブロック図である。
【図２０】第２の実施の形態の請求書管理装置の機能を示すブロック図である。
【図２１】ログイン後の携帯端末装置に表示される請求書一覧画面を説明する図である。
【図２２】第２の実施の形態の社外連絡一覧表示ボタンがタップされたときの携帯端末装置に表示される画面の一例を示す図である。
【図２３】第２の実施の形態のメモ一覧表示ボタンがタップされたときの携帯端末装置に表示される画面の一例を示す図である。
【図２４】携帯端末装置のディスプレイに表示される請求書データの概要を説明する図である。
【図２５】携帯端末装置のディスプレイに表示される詳細データを説明する図である。
【図２６】ステータスを割り振るための画面を説明する図である。
【図２７】携帯端末装置のディスプレイに表示されるヘッダ詳細データ表示画面を説明する図である。
【図２８】携帯端末装置のディスプレイに表示される明細詳細データ表示画面を説明する図である。
【図２９】携帯端末装置のディスプレイに表示される合計詳細データ表示画面を説明する図である。
【図３０】携帯端末装置のディスプレイに表示される支払先詳細データ表示画面を説明する図である。
【図３１】第２画面に表示されるメッセージデータを説明する図である。
【図３２】第２画面に表示される添付データのリンク情報を説明する図である。
【図３３】第２画面に表示される履歴データを説明する図である。
【図３４】第２画面に表示されるメモデータを説明する図である。
【発明を実施するための形態】
【００１０】
以下、実施の形態の請求書管理システムを、図面を参照して詳細に説明する。
＜第１の実施の形態＞
図１は、第１の実施の形態の請求書管理システムを示す図である。
【００１１】
第１の実施の形態の請求書管理システム１０は、請求書管理装置１が、インターネットや専用線等のネットワークを介して端末装置２ａ、２ｂ、２ｃに接続されている。
【００１２】
端末装置２ａは、Ａ社、端末装置２ｂはＢ社、端末装置２ｃはＣ社等、端末装置２ａ、２ｂ、２ｃは、それぞれ異なる会社の経理部門に配置されている装置である。端末装置２ａ、２ｂ、２ｃとしては、例えばデスクトップＰＣ、ノートＰＣ、タブレット端末、スマートフォン等が挙げられる。
【００１３】
請求書管理装置１と、端末装置２ａ、２ｂ、２ｃはＷｅｂプログラムを実装している。端末装置２ａ、２ｂ、２ｃは、Ｗｅｂブラウザを介して請求書に関する請求書データを請求書管理装置１とやりとりする。なお、本実施の形態では請求書データのやりとりを例示するが、請求書はビジネス文書の一例であり、本発明は請求書のやりとりに限定されない。ビジネス文書の他の例としては、例えば見積書や注文書や処方箋等が挙げられる。
以下、請求書管理システム１０をＡ社、Ｂ社、Ｃ社の各経理担当者が利用するものとして説明する。
【００１４】
Ａ社、Ｂ社、Ｃ社の各経理担当者は、それぞれ自己に割り当てられたＥｍａｉｌアドレス等を用いて請求書管理装置１にユーザ登録を行うことにより、請求書管理装置１が構築する請求書処理システムにアクセスする環境を整える。
【００１５】
その後、例えばＡ社の経理担当者が端末装置２ａを操作することにより、請求書管理装置１が端末装置２ａに接続されたモニタにログイン画面（図示せず）を表示させる。経理担当者はログイン画面にメールアドレスおよびパスワードを入力することにより、請求書管理装置１が提供するサービスにログインすることができる。なお、メールアドレスは、経理担当者を識別する識別情報の一例である。
【００１６】
端末装置２ａ、２ｂ、２ｃは、ログイン後に、請求書の原本そのものを電子化した請求書データに関する処理を、請求書管理装置１を介して実行することができる。処理の種別としては、例えば、請求書データの作成、送受信、閲覧、編集等が挙げられる。
【００１７】
例えば、Ａ社の経理担当者がＢ社宛に請求書を発行する際には、Ａ社の経理担当者は、端末装置２ａを操作することにより、ログイン後に表示される管理画面にて請求先をＢ社とする請求書を作成する。そして、作成した請求書の送付先にＢ社の経理担当者（受取人）のメールアドレスを指定した請求書データを送信する。送信された請求書データは、請求書管理装置１が保管する。
【００１８】
すなわち、端末装置２ａ、２ｂ、２ｃ間で請求書データを直接やりとりするのではなく、端末装置２ａ、２ｂ、２ｃで作成され、請求先に送信された全ての請求書データは請求書管理装置１が保管し共有データのような取扱いとなる。そして、請求書管理装置１は、必要に応じて請求書データの閲覧、編集権限を端末装置２ａ、２ｂ、２ｃに与える。
このように、電子上で請求書原本そのもの電子化し、処理することができる。従って、紙やＰＤＦによる請求書の管理や保管の手間を省くことができる。
【００１９】
なお、前述したように、端末装置２ａ、２ｂ、２ｃ間で請求書データを直接やりとりするのではないが、以下の説明では、説明を分かり易くするために、例えばＡ社の経理担当者からＢ社の経理担当者のメールアドレスを宛先とする請求書データが送信された場合、
一般的な請求書データのやりとりと同じく、「経理担当者が請求書データを受信する」という表現を用いる場合がある。
なお、請求書管理装置１と各端末装置２ａ、２ｂ、２ｃとの請求書データのやりとりは暗号化されるのが好ましい。
図２は、ログイン後の端末装置に表示される画面の一例を説明する図である。
図２に示す管理画面１１０は、端末装置２ａに表示される画面の一例である。
図２に示すように、経理担当者は、メールソフトウェアのような感覚で請求書データの作成、発行、閲覧、編集等をすることができる。
【００２０】
ところで、前述した例では、Ａ社の経理担当者は、一度送信した請求書データは書き替えることができない。また、Ｂ社の経理担当者も請求書データを書き替えることができない。請求書データに不備がある場合は、版数の異なる請求書データを再発行することになる。また、旧版の請求書データは、破棄されずに請求書管理装置１が保管し、いつでも閲覧できる状態になる。さらに、請求書管理装置１は、請求書データの版数管理も行い、旧版の請求書データから新版の請求書データを検索したり、新版の請求書データから旧版の請求書データを検索したりすることも容易に行うことができる。
なお、管理画面１１０の詳細については、後に詳述する。
以下、開示の請求書管理システムをより具体的に説明する。
図３は、実施の形態の請求書管理装置のハードウェア構成を示す図である。
【００２１】
請求書管理装置１は、ＣＰＵ（Central Processing Unit）１０１によって装置全体が制御されている。ＣＰＵ１０１には、バス１０８を介してＲＡＭ（Random Access Memory）１０２と複数の周辺機器が接続されている。
【００２２】
ＲＡＭ１０２は、請求書管理装置１の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に使用する各種データが格納される。
【００２３】
バス１０８には、ハードディスクドライブ（ＨＤＤ:Hard Disk Drive）１０３、グラフィック処理装置１０４、入力インタフェース１０５、ドライブ装置１０６、および通信インタフェース１０７が接続されている。
【００２４】
ハードディスクドライブ１０３は、内蔵したディスクに対して、磁気的にデータの書き込みおよび読み出しを行う。ハードディスクドライブ１０３は、請求書管理装置１の二次記憶装置として使用される。ハードディスクドライブ１０３には、ＯＳのプログラム、アプリケーションプログラム、および各種データが格納される。なお、二次記憶装置としては、フラッシュメモリ等の半導体記憶装置を使用することもできる。
【００２５】
グラフィック処理装置１０４には、モニタ１０４ａが接続されている。グラフィック処理装置１０４は、ＣＰＵ１０１からの命令に従って、画像をモニタ１０４ａの画面に表示させる。モニタ１０４ａとしては、ＣＲＴ（Cathode Ray Tube）を用いた表示装置や、液晶表示装置等が挙げられる。
【００２６】
入力インタフェース１０５には、キーボード１０５ａとマウス１０５ｂとが接続されている。入力インタフェース１０５は、キーボード１０５ａやマウス１０５ｂから送られてくる信号をＣＰＵ１０１に送信する。なお、マウス１０５ｂは、ポインティングデバイスの一例であり、他のポインティングデバイスを使用することもできる。他のポインティングデバイスとしては、例えばタッチパネル、タブレット、タッチパッド、トラックボール等が挙げられる。
【００２７】
ドライブ装置１０６は、例えば、光の反射によって読み取り可能なようにデータが記録された光ディスクや、ＵＳＢ（Universal Serial Bus）メモリ等の持ち運び可能な記録媒体に記録されたデータの読み取りを行う。例えば、ドライブ装置１０６が光学ドライブ装置である場合、レーザ光等を利用して、光ディスク２００に記録されたデータの読み取りを行う。光ディスク２００には、Ｂｌｕ−ｒａｙ（登録商標）、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）等が挙げられる。
【００２８】
通信インタフェース１０７は、ネットワーク５０に接続されている。通信インタフェース１０７は、ネットワーク５０を介して、他のコンピュータまたは通信機器との間でデータを送受信する。
【００２９】
以上のようなハードウェア構成によって、本実施の形態の処理機能を実現することができる。なお、図３には請求書管理装置１のハードウェア構成を示したが、端末装置２ａ等、他のコンピュータも同様のハードウェア構成で実現することができる。
図３に示すようなハードウェア構成の請求書管理装置１内には、以下のような機能が設けられる。
【００３０】
図４は、実施の形態の請求書管理装置の機能を示すブロック図である。
請求書管理装置１は、データ処理部１１と、請求書データ記憶部１２と、社外連絡データ記憶部１３と、添付ファイルデータ記憶部１４と、履歴データ記憶部１５と、メモデータ記憶部１６とを有している。
【００３１】
データ処理部１１は、経理担当者の操作に応じて図２に示す管理画面１１０を端末装置２ａ等に表示する。データ処理部１１は、管理画面１１０を介して行われる請求書データのやり取りに応じた処理を実行する。例えば、データ処理部１１は、請求書管理装置１が受信した請求書データや、経理担当者が作成した社外連絡（後述）やメモ等を各記憶部に振り分けて記憶させる。
【００３２】
請求書データ記憶部１２には、請求書管理装置１が受信した請求書データが、経理担当者毎（具体的には、経理担当者のメールアドレス毎）に記憶される。請求書管理装置１が受信する請求書データは、請求元の経理担当者が請求先の経理担当者宛に送信した請求書データや、請求元の経理担当者（発行者）が下書きとして作成した請求書データが含まれる。
図５は、請求書データの一例を説明する図である。
本実施の形態ではデータがテーブル化されて記憶されている。
【００３３】
請求書データ管理テーブルＴ１には、請求書ＩＤ、送受信、送受信日時、担当者ステータス、相手ステータス、担当者アドレス、担当者名、および相手アドレスの欄が設けられている。横方向に並べられた情報同士が互いに関連づけられている。
【００３４】
請求書ＩＤの欄には、請求書データを管理するための請求書データ固有のＩＤが記憶されている。この請求書ＩＤは、請求書管理装置１が請求書データを受信した時点でデータ処理部１１が請求書データに割り振る。
【００３５】
送受信の欄には、当該経理担当者から見て当該請求書データが、受信した請求書データなのか送信した請求書データなのかを示す区分が設定される。具体的には、受信した請求書データであれば「受信」、送信した請求書データであれば「送信」が設定される。
送受信日時の欄には、当該請求書データを送受信した日時のうち、最新の日時が格納される。
担当者ステータスの欄には、当該経理担当者から見た請求書データのステータス（処理に関する進捗）が設定される。
相手ステータスの欄には、当該請求書データをやり取りする相手の経理担当者から見た請求書データのステータスが設定される。
【００３６】
担当者ステータスの欄および相手ステータスの欄に設定されるステータスには、「未開封」、「返送中」、「先方破棄」、「確認済」、「支払済」、「保管箱」、「送信済」、「返送戻り」、「破棄済」、「入金済」がある。各ステータスの内容については、後に詳述する。
担当者アドレスの欄には、当該経理担当者のメールアドレスが格納される。
担当者名の欄には、当該経理担当者の所属および名前が格納される。
相手アドレスの欄には、当該請求書データをやり取りする相手の経理担当者のメールアドレスが格納される。
【００３７】
なお、請求書データ管理テーブルに記憶される情報としては、図示した情報以外にも、当該経理担当者の会社名、当該請求書データをやり取りする相手の経理担当者の会社名、各会社の郵便番号、住所、所属等が含まれる。
＜管理画面＞
データ処理部１１は、経理担当者の操作に応じて図２に示す管理画面１１０を端末装置２ａ等に表示する。
【００３８】
管理画面１１０には、利用者情報表示部１１１、ステータス表示部１１２、概要表示部１１３、請求書表示部１１４、社外連絡ボタン１１５、添付ファイルボタン１１６、履歴ボタン１１７、メモボタン１１８、社外連絡一覧表示ボタン１１９、メモ一覧表示ボタン１２０、情報表示部１２１、および情報入力部１２２が表示されている。
【００３９】
利用者情報表示部１１１には、請求書管理システムにログインしている経理担当者に関する情報（利用者情報）が表示される。図２では一例として経理担当者が所属する会社名、部署名、名字、および経理担当者のメールアドレスが表示されている。
ステータス表示部１１２には、請求書管理システムにログインしている経理担当者が取り扱う請求書データの数がステータス毎に表示される。
大きく分けて、ステータス表示部１１２には受信ＢＯＸ、下書き、送信ＢＯＸおよび送受信ＢＯＸの欄が設けられている。
データ処理部１１は、経理担当者のメールアドレスを宛先とする請求書データを受信ＢＯＸに割り振る。
【００４０】
経理担当者が受信ＢＯＸを選択すると、データ処理部１１は、請求書データ管理テーブルＴ１を参照する。そして、担当者アドレスが「bbb@xxmail.co.jp」に一致する請求書データのうち、送受信の欄が「受信」の請求書データの概要を概要表示部１１３に表示する。
【００４１】
図２に示すように、受信ＢＯＸに割り振られた請求書データのステータスの内訳は、「未開封」、「返送中」、「先方破棄」、「確認済」、「支払済」、「保管箱」がある。
【００４２】
「未開封」のステータスは、受信ＢＯＸに割り振られた請求書データのうち、経理担当者が未確認の請求書データに対してデータ処理部１１が、割り振るステータスである。
【００４３】
「返送中」のステータスは、受信ＢＯＸに割り振られた請求書データのうち、経理担当者が請求元の経理担当者に返送した請求書データに対してデータ処理部１１が割り振るステータスである。
【００４４】
「先方破棄」のステータスは、受信ＢＯＸに割り振られた請求書データのうち、受信した請求書データを経理担当者が請求元の経理担当者に返送した後に、請求元の経理担当者が破棄した請求書データに対してデータ処理部１１が割り振るステータスである。
【００４５】
「確認済」のステータスは、受信ＢＯＸに割り振られた請求書データのうち、経理担当者が閲覧し、確認ボタン（後述）を選択した請求書データに対してデータ処理部１１が割り振るステータスである。
【００４６】
「支払済」のステータスは、受信ＢＯＸに割り振られた請求書データのうち、経理担当者が入金を行い、支払ボタン（図示せず）を選択した請求書データに対してデータ処理部１１が割り振るステータスである。
経理担当者は、支払済のステータスの請求書データを集計することで、入金明細を把握することができる。
【００４７】
「保管箱」のステータスは、ステータスが「支払済」の請求書データのうち、経理担当者が任意のタイミングで保管箱に移した請求書データに対してデータ処理部１１が割り振るステータスである。
ステータス表示部１１２に表示される数字は、それぞれ、割り振られたステータスの数が表示されている。
例えば、ステータス表示部１１２の未開封の欄には、受信した請求書データのうち、経理担当者が未確認の請求書データの数が表示される。
なお、ステータス表示部１１２の保管箱の欄には、特に数字は表示されない。
【００４８】
「未開封」、「返送中」、「先方破棄」、「確認済」、「支払済」、「保管箱」の各ＢＯＸに割り振られている請求書データの内容を経理担当者が閲覧する場合には、ステータス表示部１１２の該当箇所を選択すればよい。
【００４９】
例えば、経理担当者が受信ＢＯＸを選択すると、データ処理部１１は、請求書データ管理テーブルＴ１を参照する。そして、データ処理部１１は、担当者アドレスが「bbb@xxmail.co.jp」に一致する請求書データのうち、担当者ステータスが未開封の請求書データの概要を、概要表示部１１３に表示する。
データ処理部１１は、経理担当者が作成し、保存したが、送信先の経理担当者に未送信の請求書データを下書きに割り振る。
データ処理部１１は、経理担当者が発送した請求書データを送信ＢＯＸに割り振る。
【００５０】
経理担当者が送信ＢＯＸを選択すると、データ処理部１１は、請求書データ管理テーブルＴ１を参照する。そして、担当者アドレスが「bbb@xxmail.co.jp」に一致する請求書データのうち、送受信の欄が「送信」の請求書データの概要を概要表示部１１３に表示する。
【００５１】
図２に示すように、送信ＢＯＸに割り振られた請求書データのステータスの内訳には、「送信済」、「返送戻り」、「破棄済」、「入金済」、「保管箱」がある。
【００５２】
「送信済」のステータスは、送信ＢＯＸに割り振られた請求書データのうち、請求先の経理担当者が支払処理を行っていない請求書データに対してデータ処理部１１が割り振るステータスである。
【００５３】
「返送戻り」のステータスは、送信ＢＯＸに割り振られた請求書データのうち、請求先の経理担当者から戻ってきた請求書データに対してデータ処理部１１が割り振るステータスである。経理担当者は、請求先から戻ってきた請求書データについての処理が可能となる。
【００５４】
「破棄済」のステータスは、請求先の経理担当者から戻ってきた請求書データのうち、請求元の経理担当者が破棄した請求書データに対してデータ処理部１１が割り振るステータスである。
【００５５】
「入金済」のステータスは、送信ＢＯＸに割り振られた請求書データのうち、請求元の経理担当者が入金を確認し、入金ボタン（後述）を選択した請求書データに対してデータ処理部１１が割り振るステータスである。
【００５６】
「保管箱」のステータスは、ステータスが「入金済」の請求書データのうち、経理担当者が任意のタイミングで保管箱に移した請求書データに対してデータ処理部１１が割り振るステータスである。
ステータス表示部１１２の保管箱の欄には、特に数字は表示されない。
【００５７】
「送信済」、「返送戻り」、「破棄済」、「入金済」、「保管箱」の各ＢＯＸに入っている請求書データの内容を閲覧する場合には、その箇所を選択すればよい。
【００５８】
概要表示部１１３には、前述したように、経理担当者がステータス表示部１１２にて選択したステータスに対応する請求書データの概要が表示される。概要としては、受信した請求書データであれば、請求元の会社名、件名、支払日時、および送信側、受信側のステータスが表示される。
これらのステータスは、請求書データを送受信した双方の経理担当者の管理画面上にそれぞれ同じものが表示される。
図６および図７は、概要表示部に表示される情報を説明する図である。
【００５９】
図６では、請求先の経理担当者が閲覧する管理画面１１０の概要表示部１１３に表示される請求書データの概要１１３ａと、請求元の経理担当者が閲覧する管理画面１１０の概要表示部１１３に表示される概要１１３ｂとを図示している。
【００６０】
すなわち、図６に示す請求元が株式会社ＡＢＣであり、件名が○○ｗｏｒｋの請求書データＤ１については、請求元の経理担当者が操作する端末装置の管理画面上ではステータス表示部の「送信済」に入っている。請求元の経理担当者がステータス表示部の「送信済」を選択した際には、請求書データＤ１について、請求先が□□株式会社、件名が○○ｗｏｒｋ、請求元の経理担当者のステータスが「送信済」、請求先の経理担当者のステータスが「未開封」である旨が概要表示部１１３に表示される。
【００６１】
また、ステータスの遷移を確認することにより、請求元の経理担当者は容易に請求先の経理担当者の処理の進捗を確認することができる。このため、双方の経理担当者が、各請求書データについて今どのような状態にあるのかを、リアルタイムに確認することができる。
図７（ａ）に示す概要１１３ｃ、１１３ｄ、１１３ｅは、いずれも請求書データＤ２についての概要を示している。
【００６２】
請求先の経理担当者が請求書データＤ２を閲覧し、確認ボタン（後述）を選択すると、データ処理部１１は、請求元の経理担当者が操作する端末装置の管理画面１１０の概要表示部１１３に表示される情報を概要１１３ｃから概要１１３ｄに変更する。
【００６３】
その後、請求先の経理担当者が請求書データＤ２の支払処理を行い、支払済ボタン（後述）を選択すると、データ処理部１１は、請求元の経理担当者が操作する端末装置の管理画面１１０の概要表示部１１３に表示される情報を概要１１３ｄから概要１１３ｅに変更する。
また、他の例として、図７（ｂ）に示す概要１１３ｆ、１１３ｇは、いずれも請求書データＤ３についての概要を示している。
【００６４】
請求先の経理担当者が請求書データＤ３を閲覧し、返送ボタン（後述）を選択すると、データ処理部１１は、請求先の経理担当者が操作する端末装置の管理画面の概要表示部１１３に表示される情報を概要１１３ｆから概要１１３ｇに変更する。
再び図２に戻って説明する。
【００６５】
概要表示部１１３に表示された請求書データの概要が経理担当者により選択されると、データ処理部１１は、請求書データの詳細を請求書表示部１１４に表示する。請求書表示部１１４に表示される請求書の内容は、アドレス表示部１１４ａおよび後述する各種ボタンを供えること以外は、既存の（紙やＰＤＦベースの）請求書と同じである。
【００６６】
経理担当者が受信ＢＯＸに割り振られた請求書データを閲覧する場合には、データ処理部１１は、送信元の経理担当者（ｆｒｏｍ）のメールアドレスをアドレス表示部１１４ａに表示する。
【００６７】
また、経理担当者が下書きまたは送信ＢＯＸに割り振られた請求書データを閲覧する場合には、データ処理部１１は、送信先の経理担当者（ｔｏ）のメールアドレスを表示する。
なお、データ処理部１１は、請求書データの請求書ＩＤを請求書表示部１１４に表示するようにしてもよい。
経理担当者は、管理画面１１０上にて請求書表示部１１４に表示されている請求書の処理が可能である。
具体的には、請求書データのステータスに応じて、請求書を処理するためのボタンが請求書表示部１１４に表示される。
図２では、ステータスが未開封の請求書データを選択したときに表示されるボタンを示している。
請求書表示部１１４には、確認ボタン１１４ｂ、返送ボタン１１４ｃおよびコピーボタン１１４ｄが設けられている。
【００６８】
経理担当者により確認ボタン１１４ｂが選択されると、データ処理部１１は、請求書データ管理テーブルＴ１を参照する。そして、請求書表示部１１４に表示されている請求書データの担当者ステータスを「確認済」に変更する。また、データ処理部１１は、ステータス表示部１１２の「未開封」の数字を１つ減らし、「確認済」の数字を１つ増やす。
【００６９】
経理担当者により返送ボタン１１４ｃが選択されると、データ処理部１１は、請求書データ管理テーブルＴ１を参照する。そして、請求書表示部１１４に表示されている請求書データの担当者ステータスを「返送中」に変更し、相手ステータスを「返送戻り」に変更する。また、データ処理部１１は、ステータス表示部１１２の「未開封」の数字を１つ減らし、「返送中」の数字を１つ増やす。
返送された請求書データを受信した経理担当者の管理画面上では、ステータス表示部の返送戻りの数字を１つ増やす。
【００７０】
経理担当者によりコピーボタン１１４ｄが選択されると、データ処理部１１は、当該請求書データの請求元と請求先の社名および住所が入れ替えられた新たな請求書データを作成する。そして、データ処理部１１は、請求書データ管理テーブルＴ１に作成した請求書データに関する情報を格納する。このとき、当該請求書データの担当者ステータスは、「下書き」、相手ステータスは空欄となる。
＜返送戻り処理＞
図８は、返送戻りの請求書データの処理を説明する図である。
【００７１】
経理担当者がステータスが返送戻りを選択し、概要表示部１１３に表示された請求書の概要を選択すると、データ処理部１１は、選択された請求書の概要に対応する請求書データを請求書表示部１１４に表示する。この場合、アドレス表示部１１４ａには、請求先の経理担当者のメールアドレスが表示される。
請求書表示部１１４には、訂正ボタン１１４ｅ、および破棄ボタン１１４ｆが設けられている。
【００７２】
経理担当者により訂正ボタン１１４ｅが選択されると、データ処理部１１は、請求書表示部１１４に表示されている請求書データのステータスを「送信済」に変更する。また、データ処理部１１は、ステータス表示部１１２の「返送戻り」の数字を１つ減らし、「送信済」の数字を１つ増やす。また、履歴情報が追加される。
【００７３】
経理担当者により破棄ボタン１１４ｆが選択されると、データ処理部１１は、請求書表示部１１４に表示されている請求書データのステータスを「破棄済」に変更する。これにより、ステータス表示部１１２の「送信ＢＯＸ」および「返送戻り」の数字が１つ減る。
なお、請求元の経理担当者および請求先の経理担当者は破棄された請求書データについて、破棄後も閲覧することができる。
【００７４】
具体的には、請求元の経理担当者はステータス表示部１１２の「破棄済」を選択することにより、破棄された請求書データを閲覧することができる。また、請求先の経理担当者はステータス表示部１１２の「先方破棄」を選択することにより、破棄された請求書データを閲覧することができる。
再び図２に戻って説明する。
【００７５】
送受信ＢＯＸには、受信ＢＯＸおよび送信ＢＯＸに入っている全ての請求書データのうち、破棄された請求書データと保管箱に割り振られた請求書データと下書きに割り振られた請求書データを除くデータが割り振られている。
＜社外連絡ボタン＞
【００７６】
経理担当者により社外連絡ボタン１１５が選択されると、データ処理部１１は、管理画面１１０を社外連絡入力モードに切り替える。この社外連絡入力モードでは、データ処理部１１は、情報入力部１２２に入力され、キーボードのエンターキーを押す等して確定された文書（テキストデータ）を、社外連絡として、当該経理担当者のメールアドレスおよび請求書表示部１１４に表示されている請求書データに関連づけて社外連絡データ記憶部１３に記憶する。
図９は、社外連絡データの一例を説明する図である。
本実施の形態では社外連絡データがテーブル化されて記憶されている。
社外連絡データ管理テーブルＴ２には、ＩＤ、時間、および文言の欄が設けられている。横方向に並べられた情報同士が互いに関連づけられている。
【００７７】
ＩＤの欄には、経理担当者が社外連絡データを作成した際に請求書表示部１１４に表示されていた請求書データ（社外連絡データに関連づけられた請求書データ）の請求書ＩＤが格納されている。
連絡者アドレスの欄には、当該社外連絡データを作成した作成者のメールアドレスが格納されている。
時間の欄には、社外連絡データの作成日時が格納されている。
文言の欄には社外連絡の内容が格納されている。
【００７８】
また、社外連絡入力モードでは、データ処理部１１は、請求書表示部１１４に表示されている請求書データに関し、社外連絡データ管理テーブルＴ２を参照し、これまで入力された社外連絡を時系列で作成日時とともに情報表示部１２１に表示する。
【００７９】
情報表示部１２１には、請求書データの送信元、送信先双方の経理担当者自身が入力した社外連絡が表示される。このため、この社外連絡入力モードを用いることにより、双方の経理担当者は、チャットのようなやりとりが可能である。
【００８０】
なお、経理担当者が請求書データ表示部１１４に表示されている請求書データに関する他の処理（ダウンロード、ｐｄｆ化）が、その処理が実行された日時とともに情報表示部１２１に表示されるようになっていてもよい。これにより、双方の経理担当者の処理の履歴を把握することができる。
＜添付ファイルボタン＞
【００８１】
経理担当者により添付ファイルボタン１１６が選択されると、データ処理部１１は、管理画面１１０を添付ファイルモードに切り替える。この添付ファイルモードでは、データ処理部１１は、情報入力部１２２にクリック＆ドラッグされ、キーボードのエンターキーを押す等して確定された添付データを、当該経理担当者のメールアドレスおよび請求書表示部１１４に表示されている請求書データに関連づけて添付ファイルデータ記憶部１４に記憶する。
図１０は、添付ファイルデータの一例を説明する図である。
本実施の形態では添付ファイルデータがテーブル化されて記憶されている。
添付ファイルデータ管理テーブルＴ３には、ＩＤ、時間、および添付データの欄が設けられている。横方向に並べられた情報同士が互いに関連づけられている。
ＩＤの欄には、添付データを添付した際に画面に表示されていた請求書データ（添付データが関連づけられた請求書データ）の請求書ＩＤが格納されている。
時間の欄には、添付データの添付日時が格納されている。
添付データの欄には添付データの名前が格納されている。
【００８２】
また、ファイルモードでは、データ処理部１１は、請求書表示部１１４に表示されている請求書データに関し、添付ファイルデータ管理テーブルＴ３を参照し、これまでに添付された添付ファイルに関する情報を時系列で情報表示部１２１に表示する。
＜履歴ボタン＞
データ処理部１１は、今までの双方の経理担当者の操作履歴を履歴データ記憶部１５に記憶しておく。
図１１および図１２は、履歴データ記憶部に記憶されるデータの一例を説明する図である。
本実施の形態ではデータがテーブル化されて記憶されている。
データ処理部１１は、請求書データ毎に履歴データ管理テーブルＴ４を作成する。版数が異なれば、履歴データ管理テーブルＴ４は異なる。
【００８３】
履歴データ管理テーブルＴ４には、請求書ＩＤ、操作、送受信日時、担当者ステータス、相手ステータス、担当者アドレス、および相手アドレスの欄が設けられている。横方向に並べられた情報同士が互いに関連づけられている。
【００８４】
操作の欄には、経理担当者が実行した操作が設定されている。それ以外の欄の内容については、請求書データ管理テーブルＴ１と同様であるので説明を省略する。
【００８５】
図１２に示すように、版数データ管理テーブルＴ５には、第１版ＩＤ、第２版ＩＤ、第３版ＩＤの欄が設けられている。横方向に並べられた情報同士が互いに関連づけられている。
【００８６】
第１版ＩＤの欄には、経理担当者が請求書データを作成し、管理画面１１０に表示される保存ボタン（図示せず）を選択した時点でデータ処理部１１が割り振った請求書ＩＤが格納されている。
【００８７】
第２版ＩＤの欄には、第１版ＩＤが割り振られた請求書データの第２版が作成され、管理画面１１０に表示される保存ボタン（図示せず）が選択されたときに、データ処理部１１が割り振った請求書ＩＤが格納されている。
【００８８】
第３版ＩＤの欄には、第２版ＩＤが割り振られた請求書データの第３版が作成され、管理画面１１０に表示される保存ボタン（図示せず）が選択されたときに、データ処理部１１が割り振った請求書ＩＤが格納されている。
【００８９】
なお、図１２には、第３版までの欄を図示したが、第４版の請求書データが作成されたときには、データ処理部１１は、版数データ管理テーブルＴ５の欄に新たに作成された請求書データの請求書ＩＤを追加する。第５版以降も同様である。
【００９０】
そして、経理担当者により履歴ボタン１１７が選択されると、データ処理部１１は、管理画面１１０を履歴表示モードに切り替える。具体的には、データ処理部１１は、履歴データ管理テーブルＴ４および版数データ管理テーブルＴ５を参照し、請求書表示部１１４に表示されている請求書データのやりとりに関する履歴を時系列で情報表示部１２１に表示する。
図１３は、履歴表示モード時に情報表示部に表示されるデータの一例を示す図である。
【００９１】
情報表示部１２１には請求書データの版数を表示する版数表示部１２１ａと、請求書データのやりとりに関する履歴を表示する履歴表示部１２１ｂとが表示される。
【００９２】
データ処理部１１は、履歴データ管理テーブルＴ４を参照し、請求書データのやりとりを時系列で履歴表示部１２１ｂに表示する。図１３（ａ）に示す例では、請求書表示部１１４に表示されている請求書データを、送信元の経理担当者である斉藤さんが作成し、送信したこと、送信先の経理担当者である手島さんが当該請求書データを返送したこと、斉藤さんが当該請求書データを訂正し、第２版の請求書データを作成したこと、また、斉藤さんが第１版の請求書データを破棄したことが記載されている。
【００９３】
また、経理担当者により他の版数が選択されると、データ処理部１１は、版数データ管理テーブルＴ５を参照し、該当する請求書データを特定する。図１２に示す例では、例えば、第１版の請求書データの請求書ＩＤが「００１」であれば、経理担当者により第２版の請求書データが選択されると、データ処理部１１は、請求書ＩＤが「０１５」の請求書データを特定する。そして、履歴データ管理テーブルＴ４を参照し、請求書データのやりとりを時系列で履歴表示部１２１ｂに表示する。図１３（ｂ）に示す例では、作成した第２版の請求書データを斉藤さんが下書き段階であることが記載されている。
＜メモボタン＞
【００９４】
経理担当者によりメモボタン１１８が選択されると、データ処理部１１は、管理画面１１０をメモ入力モードに切り替える。このメモ入力モードでは、データ処理部１１は、情報入力部１２２に入力され、キーボードのエンターキーを押す等して確定された文字等を、メモとして、当該経理担当者のメールアドレスおよび請求書表示部１１４に表示されている請求書データに関連づけてメモデータ記憶部１６に記憶する。このメモは、メモを作成した者しか閲覧することができない。
図１４は、メモデータの一例を説明する図である。
本実施の形態ではメモデータがテーブル化されて記憶されている。
メモデータ管理テーブルＴ６には、ＩＤ、時間、および文言の欄が設けられている。横方向に並べられた情報同士が互いに関連づけられている。
ＩＤの欄には、経理担当者がメモを作成した際に画面に表示されていた請求書データ（メモが関連づけられた請求書データ）の請求書ＩＤが格納されている。
時間の欄には、メモデータの作成日時が格納されている。
文言の欄にはメモの内容が格納されている。
【００９５】
また、メモ入力モードでは、データ処理部１１は、メモデータ記憶部１６を参照し、請求書表示部１１４に表示されている請求書データに関し、これまで入力されたメモを時系列で情報表示部１２１に表示する。
＜社外連絡一覧表示ボタン＞
【００９６】
経理担当者により社外連絡一覧表示ボタン１１９が選択されると、データ処理部１１は、社外連絡に関するデータが記憶されている社外連絡データ記憶部１３を参照し、当該経理担当者が担当する請求書に関する社外連絡の一覧画面（社外連絡一覧画面）を時系列で管理画面１１０上に表示する。
図１５および図１６は、社外連絡一覧の一例を示す図である。
【００９７】
図１５に示すように、経理担当者Ｘが請求書データαについて経理担当者Ｙとそれぞれ同日の１０時、１１時、１２時に社外連絡をやりとりし、経理担当者Ｘが請求書データβについて経理担当者Ｚとそれぞれ同日の１０時３０分、１１時３０分、１２時３０分に社外連絡をやりとりしたものとする。
【００９８】
この場合、経理担当者Ｘが操作している端末装置の管理画面上には、図１５に示すような社外連絡一覧画面１１９ａが表示される。この社外連絡一覧画面１１９ａには、請求書データ単位ではなく時系列単位に他の経理担当者とやりとりした社外連絡の記録が表示される。
【００９９】
この社外連絡一覧画面１１９ａは、検索入力部１１９ｂを備えている。経理担当者Ｘが検索ワードを入力し、エンターキーを押すこと（検索要求）により、データ処理部１１は、検索ワードに一致する文書を含む社外連絡を特定する。
【０１００】
例えば図１６に示すように、経理担当者Ｘは、「ありがとう」を検索入力部１１９ｂに入力し、エンターキーを押すことにより、データ処理部１１は、１２：００の「ありがとうございました」と１２：３０の「ありがとうございます」を検索結果として表示する。経理担当者Ｘは、例えば、１２：００の「ありがとうございました」を選択し、クリックすることにより、データ処理部１１は、当該文言を含む社外連絡データに関連づけられた請求書データαの内容を請求書表示部１１４に表示する。
これにより、社外連絡にて用いた用語に基づき請求書データを容易に見つけることができる。
【０１０１】
なお、経理担当者は、検索入力部１１９ｂに検索ワードを入力しなくとも、社外連絡一覧画面１１９ａに該当する文言が見つかれば、その文言を直接クリックするようにしてもよい。この動作によってもデータ処理部１１は、当該文言を含む社外連絡データに関連づけられた請求書データの内容を請求書表示部１１４に表示する。
次に、請求書データを見つけるときのデータ処理部の処理を説明する。
図１７は、請求書データを見つけるときのデータ処理部の処理を説明するフローチャートである。
［ステップＳ１］  データ処理部１１は、社外連絡一覧表示ボタン１１９の選択を受け付けるとステップＳ２に遷移する。
【０１０２】
［ステップＳ２］  データ処理部１１は、社外連絡データ管理テーブルＴ２を参照する。そして、連絡者アドレスの欄に利用者情報表示部１１１に表示されている経理担当者のメールアドレスが格納されている全ての社外連絡データを抽出する。そして、データ処理部１１は、抽出した社外連絡データの文言を時系列で社外連絡一覧画面１１９ａに表示する。その後、ステップＳ３に遷移する。
【０１０３】
［ステップＳ３］  データ処理部１１は、検索入力部１１９ｂに検索ワードが入力されたか否かを判断する。検索ワードが入力された場合（ステップＳ３のＹｅｓ）、ステップＳ４に遷移する。検索ワードが入力されていなければ（ステップＳ３のＮｏ）、ステップＳ５に遷移する。
［ステップＳ４］  データ処理部１１は、入力された検索ワードを含む社外連絡のみを社外連絡一覧画面１１９ａに表示する。
［ステップＳ５］  データ処理部１１は、表示された文言の選択を受け付けるとステップＳ６に遷移する。
【０１０４】
［ステップＳ６］  データ処理部１１は、社外連絡データ管理テーブルＴ２を参照する。そして、当該文言を含む社外連絡データの請求書ＩＤを特定する。そして、データ処理部１１は、請求書データ管理テーブルＴ１を参照し、特定した請求書ＩＤに一致する請求書ＩＤを持つ請求書データの内容を請求書表示部１１４に表示する。
以上で図１７の説明を終了する。
【０１０５】
再び図２に戻って説明する。経理担当者により、メモ一覧表示ボタン１２０が選択されると、データ処理部１１は、社外連絡に関するデータが記憶されているメモデータ記憶部１６を参照し、当該経理担当者が担当する請求書に関するメモの一覧画面（メモ一覧画面）を時系列で管理画面１１０上に表示する。
【０１０６】
以上述べたように、請求書管理システム１０によれば、端末装置２ａ、２ｂ、２ｃ間で請求書データを直接やりとりするのではなく、端末装置２ａ、２ｂ、２ｃで作成され、請求先に送信された全ての請求書データは請求書管理装置１が保管し共有データのような取扱いとなる。このため、請求先の経理担当者は、請求書データをプリントアウトすることで請求書の原本を入手することができる。
また、電子署名処理やタイムスタンプ処理等を施さなくてもよいので、税務調査のために紙の請求書をＰＤＦ化する等の手間を削減することができる。
【０１０７】
情報表示部１２１には、請求書データの送信元、送信先双方の経理担当者自身が入力した社外連絡が表示される。このため、この社外連絡入力モードを用いることにより、双方の経理担当者は、チャットのようなやりとりが可能である。
【０１０８】
請求書データを送信した時点で請求書データ管理テーブルＴ１に情報が記憶され、その後のやり取りのステータスは、この請求書データ管理テーブルＴ１上で管理される。このため、経理担当者は、手入力により請求書をデータシートにまとめ直す作業から開放される。
＜第２の実施の形態＞
次に、第２の実施の形態の請求書管理システムについて説明する。
以下、第２の実施の形態の請求書管理システムについて、前述した第１の実施の形態との相違点を中心に説明し、同様の事項については、その説明を省略する。
第２の実施の形態の請求書管理システムは、端末装置２ａがスマートフォンやタブレット等の携帯端末装置である点が第１の実施の形態と異なっている。
以下の説明では、端末装置２ａを「携帯端末装置２ａ」と表記する。
図１８は、第２の実施の形態の携帯端末装置のハードウェア構成を説明する図である。
携帯端末装置２ａは、ＣＰＵ（Central Processing Unit）１５１によって装置全体が制御されている。
ＣＰＵ１５１には、バス１５７を介してＲＡＭ（Random Access Memory）１５２と複数の周辺機器が接続されている。
【０１０９】
ＲＡＭ１５２は、携帯端末装置２ａの主記憶装置として使用される。ＲＡＭ１５２には、ＣＰＵ１５１に実行させるＯＳ（Operating System）のプログラムやアプリケーションプログラムの少なくとも一部が一時的に格納される。また、ＲＡＭ１５２には、ＣＰＵ１５１による処理に使用する各種データが格納される。
バス１５７には、内蔵メモリ１５３、グラフィック処理装置１５４、入力インタフェース１５５、および通信インタフェース１５６が接続されている。
【０１１０】
内蔵メモリ１５３は、データの書き込みおよび読み出しを行う。内蔵メモリ１５３は、携帯端末装置２ａの二次記憶装置として使用される。内蔵メモリ１５３には、ＯＳのプログラム、アプリケーションプログラム、および各種データが格納される。なお、内蔵メモリとしては、例えばフラッシュメモリ等の半導体記憶装置が挙げられる。
【０１１１】
グラフィック処理装置１５４には、ディスプレイ１５４ａが接続されている。グラフィック処理装置１５４は、ＣＰＵ１５１からの命令に従って、画像をディスプレイ１５４ａの画面に表示させる。ディスプレイ１５４ａとしては、液晶表示装置等が挙げられる。また、ディスプレイ１５４ａは、タッチパネル機能も備えている。
【０１１２】
入力インタフェース１５５は、ディスプレイ１５４ａおよび入力ボタン１５５に接続されている。入力インタフェース１５５は、入力ボタン１５５ａやディスプレイ１５４ａのタッチパネルから送られてくる信号をＣＰＵ１５１に送信する。
【０１１３】
通信インタフェース１５６は、ネットワーク５０に接続されている。通信インタフェース１５６は、ネットワーク５０を介して、請求書管理装置等のコンピュータまたは通信機器との間でデータを送受信する。
以上のようなハードウェア構成によって、本実施の形態の処理機能を実現することができる。
図１９は、第２の実施の形態の携帯端末装置の機能を示すブロック図である。
携帯端末装置２ａは、検出部２１と、制御部２２と、記憶部２３とを有している。
【０１１４】
検出部２１は、経理担当者によるディスプレイ１５４ａへの画面遷移動作（ある画面から別の画面へと遷移を希望する動作）を検出する。画面遷移動作としては、例えばディスプレイ１５４ａへのタップ（選択）動作や、ディスプレイ１５４ａへのスワイプ（滑らせる）動作等が挙げられる。
【０１１５】
制御部２２は、請求書管理装置１とのデータの送受信を制御する。また、制御部２２は、記憶部２３を参照し、後述する各種画面をディスプレイ１５４ａに表示する。
記憶部２３は、携帯端末装置２ａが請求書管理装置とやりとりする際に用いる一時的なデータや、ディスプレイ１５４ａに表示するデータ等が記憶される。
図２０は、第２の実施の形態の請求書管理装置の機能を示すブロック図である。
第２の実施の形態の請求書管理装置１ａは、メッセージデータ記憶部１７をさらに有している。
メッセージデータ記憶部１７には、経理担当者間でやりとりされたメッセージの履歴が、双方の経理担当者のメールアドレスに関連づけられて記憶されている。
図２１は、ログイン後の携帯端末装置に表示される請求書一覧画面を説明する図である。
【０１１６】
請求書一覧画面２００には、利用者情報表示部２０１と、ステータス表示部２０２と、社外連絡一覧表示ボタン２０３と、メモ一覧表示ボタン２０４とが表示される。
【０１１７】
利用者情報表示部２０１に表示される内容は、利用者情報表示部１１１と同様である。なお、図２１では、利用者情報表示部２０１において経理担当者の所属の表示を省略しているが、表示してもよいのは言うまでもない。
【０１１８】
ステータス表示部２０２に表示される内容は、ステータス表示部１１２と同様である。図２１では、「支払済」のステータスに割り振られた請求書データを経理担当者が閲覧しようとしていることを示している。
【０１１９】
社外連絡一覧表示ボタン２０３と、メモ一覧表示ボタン２０４の機能は、それぞれ社外連絡一覧表示ボタン１１９、メモ一覧表示ボタン１２０と同様である。すなわち、経理担当者による社外連絡一覧表示ボタン２０３のタップを検出部２１が検出すると、制御部２２は、当該請求書データに関する社外連絡一覧表示要求を請求書管理装置１ａに送信する。請求書管理装置１は、当該請求書データの請求書ＩＤを参照し、この請求書データに関連する社外連絡一覧を携帯端末装置２ａに送信する。制御部２２は受信した社外連絡一覧をディスプレイ１５４ａに表示する。
【０１２０】
図２２は、第２の実施の形態の社外連絡一覧表示ボタンがタップされたときの携帯端末装置に表示される画面の一例を示す図である。制御部２２は、現在表示されている画面の最前列に社外連絡一覧画面２０３ａを表示する。
【０１２１】
経理担当者によるメモ一覧表示ボタン２０４のタップを検出部２１が検出すると、制御部２２は、当該請求書データに関するメモデータの表示要求を請求書管理装置１ａに送信する。請求書管理装置１ａは、当該請求書データの請求書ＩＤを参照し、この請求書データに関連するメモデータを携帯端末装置２ａに送信する。制御部２２は受信したメモデータをディスプレイ１５４ａに表示する。
【０１２２】
図２３は、第２の実施の形態のメモ一覧表示ボタンがタップされたときの携帯端末装置に表示される画面の一例を示す図である。制御部２２は、現在表示されている画面の最前列にメモ一覧画面２０４ａを表示する。
再び図２１に戻って説明する。
【０１２３】
経理担当者によるステータス表示部２０２に表示されている支払済のアイコンのタップを検出部２１が検出すると、制御部２２は、ステータスが支払済の請求書データの概要一覧表示要求を請求書管理装置１ａに送信する。請求書管理装置１ａは、該当する請求書データを参照し、この請求書データに関連する概要一覧を携帯端末装置２ａに送信する。制御部２２は受信した概要一覧をディスプレイ１５４ａに表示する。
図２４は、携帯端末装置のディスプレイに表示される請求書データの概要を説明する図である。
概要表示部２０５に表示されている情報の内容は、概要表示部１１３と同様である。
また、概要表示部２０５の下部には、メニュー表示部２０６が表示されている。
メニュー表示部２０６には、新規作成ボタン２０６ａと検索ボタン２０６ｂとが表示されている。
【０１２４】
権利担当者による新規作成ボタン２０６ａのタップを検出部２１が検出すると、制御部２２は、請求書データの新規作成画面（図示せず）をディスプレイ１５４ａに表示する。これにより、経理担当者は携帯端末装置２ａを操作して請求書データの作成が可能となる。なお、請求書データの作成方法については、後述する。
経理担当者により検索ボタン２０６ｂが選択されると、制御部２２は、図２１に示す概要表示部２０５をディスプレイ１５４ａに表示する。
【０１２５】
概要表示部２０５に表示された請求書データの概要のうち、経理担当者によるいずれかの概要のタップを検出部２１が検出すると、制御部２２は、請求書データの詳細表示要求を請求書管理装置１ａに送信する。請求書管理装置１ａは、該当する請求書データを参照し、この請求書データに関連する詳細データを携帯端末装置２ａに送信する。詳細データを受信した制御部２２は、受信した詳細データをディスプレイ１５４ａに表示する。
図２５は、携帯端末装置のディスプレイに表示される詳細データを説明する図である。
【０１２６】
請求書表示部２０７は、第１画面２０７ａと第２画面２０７ｂと第３画面２０７ｃとを備えている。なお、図２５では、第１画面２０７ａと第２画面２０７ｂと第３画面２０７ｃの区画を点線で示している。点線はなくてもよい。
【０１２７】
第１画面２０７ａには、請求書データに関する内容を項目毎に分類した複数の項目名が並列表示される。具体的には、第１画面２０７ａには、明細、メッセージ、添付、履歴、メモの項目が表示されている。また、第１画面２０７ａには、各項目のうち現在選択されている項目を識別する識別情報（本実施の形態では下部にアンダーバー）が表示される。図２５では、「明細」の下部にアンダーバーが表示されている。
【０１２８】
第２画面２０７ｂには、請求書データが備えるデータのうち、第１画面２０７ａの各項目に対応するデータが表示される。なお、請求書データが備えるデータには、請求書データの内容そのものに加え、請求書データに関連づけられているデータも含む。
【０１２９】
図２５では、「明細」に対応し、請求書データのうち請求明細（内訳）に関するデータが表示されている。なお、新規作成ボタン２０６ａのタップを検出部２１が検出すると、制御部２２は、前述した処理を行うことにより、内容が何も記載されていない（白紙の）請求書明細の入力画面を第２画面２０７ｂに表示する。
【０１３０】
第３画面２０７ｃには、請求書データのうち、発行日、宛先、発行元、件名等、請求書データを識別する（請求書データ固有の）データ（ヘッダ詳細データ）が表示される。
【０１３１】
また、請求書表示部２０７がディスプレイ１５４ａに表示される際には、制御部２２は、メニュー表示部２０６にプレビューボタン２０６ｃ、ステータス変更ボタン２０６ｄ、およびその他ボタン２０６ｅをさらに表示する。
【０１３２】
経理担当者によるプレビューボタン２０６ｃのタップを検出部２１が検出すると、制御部２２は、請求書および履歴、社外連絡、メモが１つのファイルにまとめられたＰＤＦファイルのプレビュー画面を請求書表示部２０７に表示する。
【０１３３】
経理担当者によるステータス変更ボタン２０６ｄのタップを検出部２１が検出すると、制御部２２は、請求書表示部２０７に表示されている請求書の請求書データを保管箱に移す旨を請求書管理装置１ａに送信する。請求書管理装置１ａは、該当する請求書データを参照し、この請求書データに「保管箱」のステータスを割り振る。このとき制御部２２は、概要表示部２０５に表示されている他の概要（例えば、１つ下の概要）の請求書データに関連する詳細データを請求書表示部２０７に表示する。
【０１３４】
ところで、ステータス変更ボタン２０６ｄの項目名は、請求書表示部２０７に表示される請求書データのステータスにより、変化する。例えば、請求書表示部２０７に表示される請求書データのステータスが未開封である場合、ステータス変更ボタン２０６ｄの項目名は、「確認済」となる。このとき、経理担当者によるステータス変更ボタン２０６ｄのタップを検出部２１が検出すると、請求書管理装置１ａは、該当する請求書データを参照し、この請求書データに「確認済」のステータスを割り振る。
【０１３５】
経理担当者によるその他ボタン２０６ｅのタップを検出部２１が検出すると、制御部２２は、請求書表示部２０７に表示されている請求書の請求書データに保管箱以外の他のステータスに割り振るための画面をディスプレイ１５４ａに表示する。
図２６は、ステータスを割り振るための画面を説明する図である。
【０１３６】
請求書表示部２０７には、請求書表示部２０７に表示されている請求書の請求書データに未開封、確認済のステータスを割り振ることが可能なステータス選択画面２０７ｄが表示される。例えば、ステータス選択画面２０７ｄ中、「未開封へ」が経理担当者によりタップされると、制御部２２は、請求書表示部２０７に表示されている請求書の請求書データを未開封にする旨を請求書管理装置１ａに送信する。請求書管理装置１ａは、該当する請求書データを参照し、この請求書データに「未開封」のステータスを割り振る。
【０１３７】
経理担当者による第３画面２０７ｃのタップを検出部２１が検出すると、制御部２２は、ヘッダ詳細データの表示要求を請求書管理装置１ａに送信する。請求書管理装置１ａは、該当する請求書データを参照し、この請求書データに関連するヘッダ詳細データを携帯端末装置２ａに送信する。ヘッダ詳細データを受信した制御部２２は、ヘッダ詳細データをディスプレイ１５４ａに表示する。
図２７は、携帯端末装置のディスプレイに表示されるヘッダ詳細データ表示画面を説明する図である。
【０１３８】
制御部２２は、第３画面２０７ｃはそのままで第１画面２０７ａおよび第２画面２０７ｂに変えてヘッダ詳細データ表示画面２０７ｅをディスプレイ１５４ａに表示する。
ヘッダ詳細データ表示画面２０７ｅには、宛先のメールアドレスに紐付けられている経理担当者の勤務する会社名や住所等のデータが表示される。
再び図２５に戻って説明する。
【０１３９】
経理担当者による第２画面２０７ｂの明細の内容のタップを検出部２１が検出すると、制御部２２は、明細詳細データの表示要求を請求書管理装置１ａに送信する。請求書管理装置１ａは、該当する請求書データを参照し、この請求書データに関連する明細詳細データを携帯端末装置２ａに送信する。明細詳細データを受信した制御部２２は、明細詳細データをディスプレイ１５４ａに表示する。
図２８は、携帯端末装置のディスプレイに表示される明細詳細データ表示画面を説明する図である。
【０１４０】
制御部２２は、第３画面２０７ｃはそのままで第１画面２０７ａおよび第２画面２０７ｂに変えて明細詳細データ表示画面２０７ｆをディスプレイ１５４ａに表示する。
明細詳細データ表示画面２０７ｆには、第２画面２０７ｂでは表示が省略されていた通貨単位や、消費税の課税対象の有無等を示す情報が表示される。
再び図２５に戻って説明する。
【０１４１】
経理担当者による第２画面２０７ｂの合計の部分のタップを検出部２１が検出すると、制御部２２は、合計詳細データの表示要求を請求書管理装置１ａに送信する。請求書管理装置１ａは、該当する請求書データを参照し、この請求書データに関連する合計詳細データを携帯端末装置２ａに送信する。携帯端末装置２ａは、合計詳細データをディスプレイ１５４ａに表示する。
図２９は、携帯端末装置のディスプレイに表示される合計詳細データ表示画面を説明する図である。
【０１４２】
合計詳細データ表示画面２０７ｇには、第２画面２０７ｂでは表示が省略されていた税抜合計金額、源泉徴収税、および消費税の課税、非課税等の情報が表示される。
再び図２５に戻って説明する。
【０１４３】
経理担当者による第２画面２０７ｂのお支払い方法の部分のタップを検出部２１が検出すると、制御部２２は、支払先詳細データの表示要求を請求書管理装置１ａに送信する。請求書管理装置１ａは、該当する請求書データを参照し、この請求書データに関連する支払先詳細データを携帯端末装置２ａに送信する。支払先詳細データを受信した制御部２２は、支払先詳細データをディスプレイ１５４ａに表示する。
図３０は、携帯端末装置のディスプレイに表示される支払先詳細データ表示画面を説明する図である。
【０１４４】
制御部２２は、第３画面２０７ｃはそのままで第１画面２０７ａおよび第２画面２０７ｂに変えて支払先詳細データ表示画面２０７ｈをディスプレイ１５４ａに表示する。
支払先詳細データ表示画面２０７ｈには、第２画面２０７ｂでは表示が省略されていた振込先の銀行コード、支店コード、口座種別等の情報が表示される。
再び図２５に戻って説明する。
＜メッセージ＞
【０１４５】
図２５に示すように、第１画面２０７ａにおいて「明細」が選択されている状態で経理担当者によって第１画面２０７ａ、または第２画面２０７ｂのいずれかを右にスワイプ（右にスライド）させたことを検出部２１が検出すると、制御部２２は、メッセージデータの表示要求を請求書管理装置１ａに送信する。データ処理部１１は、該当する請求書データの送信元、送信先双方の経理担当者のメールアドレスに基づき、メッセージデータ記憶部１７を参照し、この請求書データをやりとりする経理担当者同士のメッセージデータを特定する。そして、データ処理部１１は、特定したメッセージデータを携帯端末装置２ａに送信する。メッセージデータを受信した制御部２２は、メッセージデータを第２画面２０７ｂに表示する。
図３１は、第２画面に表示されるメッセージデータを説明する図である。
【０１４６】
第２画面２０７ｂには、当該請求書データに対する経理担当者間のメッセージのやりとりの履歴が表示される。また、制御部２２は、第１画面２０７ａにおいてメッセージの下部にアンダーバーを表示する。
＜添付＞
【０１４７】
この第１画面２０７ａにおいて「メッセージ」が選択されている状態で経理担当者が第１画面２０４ａ、または第２画面２０４ｂのいずれかを右にスワイプさせたことを検出部２１が検出すると、制御部２２は、添付データのリンク情報（例えばＵＲＬ等）の表示要求を請求書管理装置１ａに送信する。請求書管理装置１ａは、該当する請求書データを参照し、この請求書データに関連する添付データのリンク情報を携帯端末装置２ａに送信する。添付データのリンク情報を受信した制御部２２は、添付データのリンク情報を第２画面２０７ｂに表示する。
図３２は、第２画面に表示される添付データのリンク情報を説明する図である。
【０１４８】
第２画面２０７ｂには、当該請求書データに対し添付された添付データの名称一覧が表示される。また、制御部２２は、第１画面２０７ａにおいて添付の下部にアンダーバーを表示する。なお、リンク情報の表示方法は、図示の方法に限定されず、例えば、画像データであれば、画像のプレビューを第２画面２０７ｂに表示するようにしてもよい。
【０１４９】
経理担当者が第２画面２０７ｂに表示されているいずれかの添付データのリンク情報をタップしたことを検出部２１が検出すると、制御部２２は、タップされたリンク情報の表示要求を請求書管理装置１ａに送信する。請求書管理装置１ａは、リンク情報を参照し、参照先の添付データを携帯端末装置２ａに送信する。添付データを受信した制御部２２は、添付データを第２画面２０７ｂに表示する。
【０１５０】
例えば第２画面２０７ｂに表示された添付データが画像データである場合、経理担当者による回転のボタンのタップを検出部２１が検出すると、制御部２２は、第２画面２０７ｂに表示された画像データを例えば右に９０°回転させる。
【０１５１】
例えば第２画面２０７ｂに表示された添付データがｐｄｆ形式やエクセル形式である場合、経理担当者によるダウンロードのボタンのタップを検出部２１が検出すると、制御部２２は、記憶部２３に添付データをダウンロードする。
【０１５２】
また、経理担当者による添付のボタンのタップを検出部２１が検出すると、制御部２２は、記憶部２３に記憶されているデータの一覧画面をディスプレイ１５４ａに表示する（図示せず）。経理担当者により、データが選択されると、制御部２２は、選択されたデータを、現在の（第３画面２０７ｃにより特定される）請求書データの請求書ＩＤに関連づけて請求書管理装置１ａに送信する。請求書管理装置１ａは、添付データを、当該請求書ＩＤの請求書データに関連づけて添付ファイルデータ記憶部１４に記憶する。
＜履歴＞
【０１５３】
この第１画面２０７ａにおいて「添付」が選択されている状態で経理担当者が第１画面２０４ａ、または第２画面２０４ｂのいずれかを右にスワイプ（右にスライド）させたことを検出部２１が検出すると、制御部２２は、履歴データの表示要求を請求書管理装置１ａに送信する。請求書管理装置１ａは、該当する請求書データを参照し、この請求書データに関連する履歴データを携帯端末装置２ａに送信する。履歴データを受信した制御部２２は、履歴データをディスプレイ１５４ａに表示する。
図３３は、第２画面に表示される履歴データを説明する図である。
第２画面２０７ｂには、当該請求書データに対する処理の履歴が表示される。
＜メモ＞
【０１５４】
この第１画面２０７ａにおいて「履歴」が選択されている状態で経理担当者が第１画面２０４ａ、または第２画面２０４ｂのいずれかを右にスワイプ（右にスライド）させたことを検出部２１が検出すると、制御部２２は、メモデータの表示要求を請求書管理装置１ａに送信する。請求書管理装置１ａは、該当する請求書データを参照し、この請求書データに関連するメモデータを携帯端末装置２ａに送信する。携帯端末装置２ａは、メモデータをディスプレイ１５４ａに表示する。
図３４は、第２画面に表示されるメモデータを説明する図である。
第２画面２０７ｂには、当該請求書データに関連づけられたメモデータが表示される。
【０１５５】
以上説明したように、第２の実施の形態の請求書管理システムによれば、１つの請求書について、経理担当者が閲覧を希望するデータ（画面）に容易に遷移することができる。また、第１画面２０７ａを表示し、現在選択されている項目の下部にアンダーバーが表示することにより、自分が見ているデータの項目を容易に把握することができる。
【０１５６】
また、第２画面２０７ｂに表示される内容が変わっても第３画面２０７ｃにヘッダ詳細データを表示し続けることにより、経理担当者は自分がどの請求書に関するデータを見ているのかを容易に把握することができる。
【０１５７】
なお、第２の実施の形態では、経理担当者が右にスワイプしたときの隣接する項目への画面遷移を説明したが、左にスワイプさせたときも隣接する項目に画面遷移できることは言うまでもない。
【０１５８】
また、第２の実施の形態では、経理担当者がスワイプしたときの隣接する項目への画面遷移を説明したが、経理担当者が表示させたい項目を直接タップしたときは、タップした項目に画面遷移できることは言うまでもない。例えば、図２５において、経理担当者が、第１画面２０７ａの添付をタップしたことを検出部２１が検出すると、制御部２２は、図３２に示すように、添付データを第２画面２０７ｂに表示する。
なお、請求書管理装置１、１ａが行った処理が、複数の装置によって分散処理されるようにしてもよい。
【０１５９】
また、本実施の形態では、請求書管理装置１、１ａが請求書データ記憶部１３等各記憶部を備える構成としたが、これに限らず、各記憶部はクラウド化され、データ処理部１１と別個の場所に設けられていても良い。
【０１６０】
なお、本実施の形態では、携帯端末装置２ａに画面を表示するようにしたが、第１の実施の形態の端末装置２ａ上で図２１?図３４に示す画面を表示するようにしてもよい。そして、端末装置２ａに接続されたディスプレイがタッチパネル機能を備えている場合は、携帯端末装置２ａと同様の操作をすることで、請求書に紐付けられた情報を容易に把握することができる。
【０１６１】
以上、本発明の端末装置、表示方法およびプログラムを、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【０１６２】
なお、上記の処理機能は、コンピュータによって実現することができる。その場合、端末装置２ａまたは携帯端末装置２ａが有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等が挙げられる。磁気記憶装置には、ハードディスクドライブ、フレキシブルディスク（ＦＤ）、磁気テープ等が挙げられる。光ディスクには、ＤＶＤ、ＤＶＤ−ＲＡＭ、ＣＤ−ＲＯＭ／ＲＷ等が挙げられる。光磁気記録媒体には、ＭＯ（Magneto-Optical disk）等が挙げられる。
【０１６３】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１６４】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【０１６５】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【０１６６】
１、１ａ  請求書管理装置
２ａ、２ｂ、２ｃ  端末装置（携帯端末装置）
１１  データ処理部
１２  請求書データ記憶部
１３  社外連絡データ記憶部
１４  添付ファイルデータ記憶部
１５  履歴データ記憶部
１６  メモデータ記憶部
１７  メッセージデータ記憶部
２１  検出部
２２  制御部
２３  記憶部
２００  請求書一覧画面
２０１  利用者情報表示部
２０２  ステータス表示部
２０３  社外連絡一覧表示ボタン
２０４  メモ一覧表示ボタン
２０５  概要表示部
２０６  メニュー表示部
２０７  請求書表示部
２０７ａ  第１画面
２０７ｂ  第２画面
２０７ｃ  第３画面
２０７ｄ  ステータス選択画面
２０７ｅ  ヘッダ詳細データ表示画面
２０７ｆ  明細詳細データ表示画面
２０７ｇ  合計詳細データ表示画面
２０７ｈ  支払先詳細データ表示画面
【図１】
2017164240.tif 000003
【図２】
2017164240.tif 000004
【図３】
2017164240.tif 000005
【図４】
2017164240.tif 000006
【図５】
2017164240.tif 000007
【図６】
2017164240.tif 000008
【図７】
2017164240.tif 000009
【図８】
2017164240.tif 000010
【図９】
2017164240.tif 000011
【図１０】
2017164240.tif 000012
【図１１】
2017164240.tif 000013
【図１２】
2017164240.tif 000014
【図１３】
2017164240.tif 000015
【図１４】
2017164240.tif 000016
【図１５】
2017164240.tif 000017
【図１６】
2017164240.tif 000018
【図１７】
2017164240.tif 000019
【図１８】
2017164240.tif 000020
【図１９】
2017164240.tif 000021
【図２０】
2017164240.tif 000022
【図２１】
2017164240.tif 000023
【図２２】
2017164240.tif 000024
【図２３】
2017164240.tif 000025
【図２４】
2017164240.tif 000026
【図２５】
2017164240.tif 000027
【図２６】
2017164240.tif 000028
【図２７】
2017164240.tif 000029
【図２８】
2017164240.tif 000030
【図２９】
2017164240.tif 000031
【図３０】
2017164240.tif 000032
【図３１】
2017164240.tif 000033
【図３２】
2017164240.tif 000034
【図３３】
2017164240.tif 000035
【図３４】
2017164240.tif 000036
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
記憶部と、
利用者による画面遷移動作を検出する検出部と、
前記記憶部を参照し、ビジネス文書データに関する内容を項目毎に分類した複数の項目名を表示する第１画面と、前記ビジネス文書データが備えるデータのうち前記各項目に対応するデータを表示する第２画面とを表示し、前記検出部による画面遷移動作の検出に応じて前記項目名に対応するデータを前記第２画面に表示する表示部と、
を有し、
前記表示部は、ビジネス文書データ固有の識別情報を表示する第３画面を表示し、
前記検出部が利用者による前記第２画面の選択動作を検出すると、前記表示部は、第３画面を表示したまま検出前に前記第２画面に表示されていたデータのより詳細なデータを前記第２画面が表示されていた領域に表示することを特徴とする端末装置。
【請求項２】
前記表示部は、現在表示されている第２画面のデータに対応する項目名の識別情報を前記第１画面に表示する請求項１に記載の端末装置。
【請求項３】
前記第２画面は選択箇所を複数有し、
前記検出部は、利用者による前記第２画面の選択箇所に応じた詳細なデータを、前記第２画面が表示されていた領域に表示する請求項１または２に記載の端末装置。
【請求項４】
コンピュータが、
利用者による画面遷移動作を検出し、
記憶部を参照し、ビジネス文書データに関する内容を項目毎に分類した複数の項目名を表示する第１画面と、前記ビジネス文書データが備えるデータのうち前記各項目に対応するデータを表示する第２画面とを表示し、画面遷移動作の検出に応じて前記項目名に対応するデータを前記第２画面に表示し、
ビジネス文書データ固有の識別情報を表示する第３画面を表示し、
利用者による前記第２画面の選択動作を検出すると、第３画面を表示したまま検出前に前記第２画面に表示されていたデータのより詳細なデータを前記第２画面が表示されていた領域に表示する、
ことを特徴とする表示方法。
【請求項５】
コンピュータに、
利用者による画面遷移動作を検出し、
記憶部を参照し、ビジネス文書データに関する内容を項目毎に分類した複数の項目名を表示する第１画面と、前記ビジネス文書データが備えるデータのうち前記各項目に対応するデータを表示する第２画面とを表示し、画面遷移動作の検出に応じて前記項目名に対応するデータを前記第２画面に表示し、
ビジネス文書データ固有の識別情報を表示する第３画面を表示し、
利用者による前記第２画面の選択動作を検出すると、第３画面を表示したまま検出前に前記第２画面に表示されていたデータのより詳細なデータを前記第２画面が表示されていた領域に表示する、
処理を実行させることを特徴とするプログラム。
【国際調査報告】
2017164240.tif 000037
2017164240.tif 000038